(57)【要約】      （修正有）【課題】歯間に残留した食物残渣等の除去において操作性に優れた歯間ブラシを提供する。【解決手段】歯間ブラシは、中間の部分にグリップを形成する。グリップの一端は延伸して先端部を形成する。先端部外表面は複数の突起部を形成し、グリップの他端は延伸して長棒を形成する。長棒外周には複数のブラシを設け、ブラシは残滓除去部を形成し、残滓除去部により突出部分を形成する。長棒、残滓除去部及び突出部分の先端は、円頭状の弧面を形成する。【選択図】図２
0003162173.tif 000002
【実用新案登録請求の範囲】
【請求項１】
歯間ブラシであって、中間の部分にグリップを形成し、該グリップの一端は延伸し先端部を形成し、該先端部の外表面には複数の突起部を形成し、前記グリップの他端は延伸し長棒を形成し、該長棒の外周に複数のブラシを形成し、
該ブラシは交錯部を形成し、該交錯部により突出部分を形成してなることを特徴とする歯間ブラシ。
【請求項２】
前記グリップの他端は延伸し薄い先端部を形成し、前記先端部の表面は複数の突起部を有することを特徴とする請求項１に記載の歯間ブラシ。  
【請求項３】
前記長棒、前記交錯部と前記突出部分の先端は、円頭状の弧面を有することを特徴とする請求項１に記載の歯間ブラシ。
【請求項４】
前記交錯部は、前記ブラシの方向と垂直の方向に形成させてなることを特徴とする請求項１に記載の歯間ブラシ。
【請求項５】
前記交錯部は、前記ブラシの両側に斜めに形成させてなることを特徴とする請求項１に記載の歯間ブラシ。
【請求項６】
前記長棒は、複数の凸状部が間隔をあけて形成されてなることを特徴とする請求項１に記載の歯間ブラシ。  
【請求項７】
前記交錯部は、前記ブラシの一端の両側だけに形成されてなることを特徴とする請求項１に記載の歯間ブラシ。
【請求項８】
前記交錯部は、適当な数量で、前記ブラシに間隔をあけて形成されてなることを特徴とする請求項１に記載の歯間ブラシ。  
【考案の詳細な説明】
【技術分野】
【０００１】
本考案は、歯間ブラシの構造に関するものであり、さらに詳しくは、歯の隙間に残留した食物残渣を完全に除去できる突出した交錯部を備えた歯間ブラシの構造に関するものである。
【背景技術】
【０００２】
公知の歯間ブラシの構造は、図６、図７で示されるように、歯間ブラシ３０は、主に、軟性のプラスチックで一体射出成型したものである。その一端に、細い小径部３１を有し、小径部３１の両側の対称箇所に、それぞれ、等間隔で配置されたブラシ部３２を形成し、他端は、断面が三角形で、徐々に縮小していく先端部３３を有する。先端部３３の両側の三角断面は、複数の縦向きの鋸歯状突起部３４を形成し、かかる歯間ブラシの中間の部分に、縦向きで、扁平状のグリップ３５を有し、ブラシ部３２と同一水平位置にある。かかる歯間ブラシの清掃時、先端部３３と小径部３１をそれぞれ歯の隙間に入れて、鋸歯状突起部３４により食物の残渣を除去するか、ブラシ部３２により洗浄する。
【０００３】
しかし、上述の公知の歯間ブラシの構造は、実際の使用において、ブラシ部３２から直接延伸したブラシで歯の隙間から食物残渣をかき出した場合でも、歯の隙間に食物残渣が残留し、清掃効果が悪いという欠点がある。
【０００４】
かかる状況下において、特許文献１によれば、歯間の細部を磨くための歯間ブラシとして、金属撚り線の先端部にナイロン毛等を撚り込み、根本部を軸とするブラシ体を使用することが記載されている。
【０００５】
しかし、かかる構成によるブラシ体であっても、歯間の食物残渣の完全な除去にはなお難点が残るおそれが大きい。
【特許文献１】実開平６−７５２２６号公報
【考案の開示】
【考案が解決しようとする課題】
【０００６】
従って、本考案の課題は、歯間に残留した食物残渣等を簡単な構造であって、容易かつ効率よく除去することが可能な構造を有する歯間ブラシを提供する点にある。
【課題を解決するための手段】
【０００７】
そこで、本考案者は、前記の本考案の課題を解決するために鋭意検討を重ねた結果、歯間ブラシのブラシフィラメントまたは用毛（本願においては単に「ブラシ」と記載する。）の先端部に後記の如き交錯部を設けることにより前記課題を解決できることに着目しかかる知見に基づいて本発明に想到した。
【０００８】
すなわち、本考案は、歯間ブラシを歯の隙間から引き出す時に、突出した交錯部により、食物の残渣を完全に除去でき、清掃範囲を増加し、あらゆる角度からの清掃効果が優れた歯間ブラシの構造を提供することを目的とする。
【０００９】
また、本考案は、長棒の一端が円頭状の弧面で、交錯部が突出部分を有するので、弧面と突出部分により、口内に円滑に入れることができ、口内を損傷することがない歯間ブラシの構造を提供することをもう一つの目的とする。
【００１０】
本考案の歯間ブラシは、中間部にグリップを形成する。グリップの一端は延伸して先端部を形成する。先端部の外表面は複数の突起部を形成し、グリップの他端は延伸して長棒を形成する。長棒の外周に複数のブラシを形成し、ブラシは交錯部を形成し、交錯部により突出部分を形成する。長棒、交錯部及び突出部分の先端は、円頭状の弧面を形成する。
【００１１】
かくして、本発明によれば、
請求項１において、
歯間ブラシであって、中間の部分にグリップを形成し、該グリップの一端は延伸し先端部を形成し、該先端部の外表面には複数の突起部を形成し、前記グリップの他端は延伸し長棒を形成し、該長棒の外周に複数のブラシを形成し、
該ブラシは交錯部を形成し、該交錯部により突出部分を形成してなることを特徴とする歯間ブラシが提供される。
【００１２】
請求項２に係る考案によれば、前記グリップの他端は延伸し薄い先端部を形成し、前記先端部の表面は複数の突起部を有することを特徴とする請求項１に記載の歯間ブラシが提供される。  
【００１３】
請求項３に係る考案によれば、前記長棒、前記交錯部と前記突出部分の先端は、円頭状の弧面を有することを特徴とする請求項１に記載の歯間ブラシが提供される。
【００１４】
請求項４に係る考案によれば、前記交錯部は、前記ブラシの方向と垂直の方向に形成させてなることを特徴とする請求項１に記載の歯間ブラシが提供される。
【００１５】
請求項５に係る考案によれば、前記交錯部は、前記ブラシの両側に斜めに形成させてなることを特徴とする請求項１に記載の歯間ブラシが提供される。
【００１６】
請求項６に係る考案によれば、前記長棒は、複数の凸状部が間隔をあけて形成されてなることを特徴とする請求項１に記載の歯間ブラシが提供される。  
【００１７】
請求項７に係る考案によれば、前記交錯部は、前記ブラシの一端の両側だけに形成されることを特徴とする請求項１に記載の歯間ブラシが提供される。
【００１８】
請求項８に係る考案によれば、前記交錯部は、適当な数量で、前記ブラシに間隔をあけて形成されてなることを特徴とする請求項１に記載の歯間ブラシが提供される。
【考案の効果】
【００１９】
本考案により、歯間に残留した食物の残渣が完全に除去でき、清掃範囲が広く、全方位に渡って清掃でき、口内に入れやすく操作性に優れ、また、口内を損傷することがない、という長所が得られる。
【図面の簡単な説明】
【００２０】
【図１】本考案の一実施形態による歯間ブラシの斜視図である。
【図２】本考案の一実施形態による歯間ブラシの平面図である。
【図３】本考案の一実施形態による歯間ブラシの平面拡大図である。
【図４】本考案の一実施形態による歯間ブラシが円滑に食物の残渣をかき出す状態を示す説明図である。
【図５】本考案の他の実施形態による歯間ブラシの部分説明図である。
【図６】公知の歯間ブラシの構造の斜視図である。
【図７】公知の歯間ブラシの一実施形態による歯間構造の平面図である。
【考案を実施するための最良の形態】
【００２１】
以下、本考案について、図面に従って具体的に説明する。もっとも本考案は、かかる図面等により限定されるものではない。  
【００２２】
図１と図２で示されるように、本考案の歯間ブラシ１０は、最適な硬さのプラスチック材質で一体射出成型し、中間の部分にグリップ１１を形成させたものである。グリップ１１の一端は延伸し薄い先端部１２を形成する。先端部１２外表面は複数の突起部１３を形成し、グリップ１１の他端は延伸して長棒１４を形成する。長棒１４外周に複数のブラシ１５を形成し、これらのブラシ１５は、両側から中央に向かって高くなり、長短が異なるように配列される。ブラシ１５は交錯部１６を形成し、交錯部１６により突出部分１７を形成する。長棒１４、交錯部１６及び突出部分１７の先端は、円頭状の弧面を形成する。
【００２３】
本考案に係る歯間ブラシの使用時、先端部１２を歯の隙間２０に入れて、突起部１３により食物の残渣をかき出す以外に、長棒１４とブラシ１５により、歯の隙間２０中に縦向きに入れて清掃することができる。長棒１４の先端は円頭状の弧面で、交錯部１６に突出部分１７があるので、使用が円滑で、口内を損傷することがない。歯間ブラシを引き出す過程で、ブラシ１５の交錯部１６により清掃範囲を増加し、図３で示すように、食物の残渣をかき出すことができ、歯の隙間２０を効果的に、全方位で清掃することができる。
【００２４】
交錯部１６は、図１〜図３に示すように、ブラシ１５と垂直に維持されるか、又は、図４に示すように、斜め方向に延伸し、長棒１４上に凸状突起部１８を形成してもよく、ブラシ１５での清掃時、凸状突起部１８により歯の隙間２０の汚れを清掃する。図５で示すように、ブラシ１５は、それぞれ同等間隔に配置された形態であり、複数の交錯部１６を形成してもよい。これにより、洗浄効果を強化し、洗浄範囲を増加する。
【００２５】
本考案に係る歯間ブラシによれば、交錯部１６によりブラシ１５を引き出すと同時に、食物の残渣が完全に除去でき、清掃範囲が増加し、全方位に渡って清掃できる。また、長棒１４は、一端が円頭状の弧面を有するものであり、交錯部１６には突出部分１７が形成されてあるので、前記弧面と突出部分により、口内に入れる過程が円滑であり、また、口内を損傷することがない、という長所が得られる。
【符号の説明】
【００２６】
１０  歯間ブラシ
１１  グリップ
１２  先端部
１３  突起部
１４  長棒
１５  ブラシ
１６  交錯部
１７  突出部分
１８  凸状突起部
２０  歯の隙間
３０  歯間ブラシ
３１  小径部
３２  ブラシ部
３３  先端部
３４  鋸歯状突起部
３５  グリップ
【図１】
0003162173.tif 000003
【図２】
0003162173.tif 000004
【図３】
0003162173.tif 000005
【図４】
0003162173.tif 000006
【図５】
0003162173.tif 000007
【図６】
0003162173.tif 000008
【図７】
0003162173.tif 000009
【手続補正書】
【提出日】平成22年6月23日(2010.6.23)
【手続補正１】
【補正対象書類名】実用新案登録請求の範囲
【補正対象項目名】全文
【補正方法】変更
【補正の内容】
【実用新案登録請求の範囲】
【請求項１】
歯間ブラシであって、中間の部分にグリップを形成し、該グリップの一端は延伸し先端部を形成し、該先端部の外表面には複数の突起部を形成し、前記グリップの他端は延伸し長棒を形成し、該長棒の外周に複数のブラシを形成し、
該ブラシは残滓除去部を形成し、該残滓除去部により突出部分を形成してなることを特徴とする歯間ブラシ。
【請求項２】
前記グリップの他端は延伸し薄い先端部を形成し、前記先端部の表面は複数の突起部を有することを特徴とする請求項１に記載の歯間ブラシ。  
【請求項３】
前記長棒、前記残滓除去部と前記突出部分の先端は、円頭状の弧面を有することを特徴とする請求項１に記載の歯間ブラシ。
【請求項４】
前記残滓除去部は、前記ブラシの方向と垂直の方向に形成させてなることを特徴とする請求項１に記載の歯間ブラシ。
【請求項５】
前記残滓除去部は、前記ブラシの両側に斜めに形成させてなることを特徴とする請求項１に記載の歯間ブラシ。
【請求項６】
前記長棒は、複数の凸状部が間隔をあけて形成されてなることを特徴とする請求項１に記載の歯間ブラシ。  
【請求項７】
前記残滓除去部は、前記ブラシの一端の両側だけに形成されてなることを特徴とする請求項１に記載の歯間ブラシ。
【請求項８】
前記残滓除去部は、適当な数量で、前記ブラシに間隔をあけて形成されてなることを特徴とする請求項１に記載の歯間ブラシ。
【手続補正２】
【補正対象書類名】明細書
【補正対象項目名】全文
【補正方法】変更
【補正の内容】
【考案の詳細な説明】
【技術分野】
【０００１】
本考案は、歯間ブラシの構造に関するものであり、さらに詳しくは、歯の隙間に残留した食物残渣を完全に除去できる突出した残滓除去部を備えた歯間ブラシの構造に関するものである。
【背景技術】
【０００２】
公知の歯間ブラシの構造は、図６、図７で示されるように、歯間ブラシ３０は、主に、軟性のプラスチックで一体射出成型したものである。その一端に、細い小径部３１を有し、小径部３１の両側の対称箇所に、それぞれ、等間隔で配置されたブラシ部３２を形成し、他端は、断面が三角形で、徐々に縮小していく先端部３３を有する。先端部３３の両側の三角断面は、複数の縦向きの鋸歯状突起部３４を形成し、かかる歯間ブラシの中間の部分に、縦向きで、扁平状のグリップ３５を有し、ブラシ部３２と同一水平位置にある。かかる歯間ブラシの清掃時、先端部３３と小径部３１をそれぞれ歯の隙間に入れて、鋸歯状突起部３４により食物の残渣を除去するか、ブラシ部３２により洗浄する。
【０００３】
しかし、上述の公知の歯間ブラシの構造は、実際の使用において、ブラシ部３２から直接延伸したブラシで歯の隙間から食物残渣をかき出した場合でも、歯の隙間に食物残渣が残留し、清掃効果が悪いという欠点がある。
【０００４】
かかる状況下において、特許文献１によれば、歯間の細部を磨くための歯間ブラシとして、金属撚り線の先端部にナイロン毛等を撚り込み、根本部を軸とするブラシ体を使用することが記載されている。
【０００５】
しかし、かかる構成によるブラシ体であっても、歯間の食物残渣の完全な除去にはなお難点が残るおそれが大きい。
【特許文献１】実開平６−７５２２６号公報
【考案の開示】
【考案が解決しようとする課題】
【０００６】
従って、本考案の課題は、歯間に残留した食物残渣等を簡単な構造であって、容易かつ効率よく除去することが可能な構造を有する歯間ブラシを提供する点にある。
【課題を解決するための手段】
【０００７】
そこで、本考案者は、前記の本考案の課題を解決するために鋭意検討を重ねた結果、歯間ブラシのブラシフィラメントまたは用毛（本願においては単に「ブラシ」と記載する。）の先端部に後記の如き残滓除去部を設けることにより前記課題を解決できることに着目しかかる知見に基づいて本発明に想到した。
【０００８】
すなわち、本考案は、歯間ブラシを歯の隙間から引き出す時に、突出した残滓除去部により、食物の残渣を完全に除去でき、清掃範囲を増加し、あらゆる角度からの清掃効果が優れた歯間ブラシの構造を提供することを目的とする。
【０００９】
また、本考案は、長棒の一端が円頭状の弧面で、残滓除去部が突出部分を有するので、弧面と突出部分により、口内に円滑に入れることができ、口内を損傷することがない歯間ブラシの構造を提供することをもう一つの目的とする。
【００１０】
本考案の歯間ブラシは、中間部にグリップを形成する。グリップの一端は延伸して先端
部を形成する。先端部の外表面は複数の突起部を形成し、グリップの他端は延伸して長棒を形成する。長棒の外周に複数のブラシを形成し、ブラシは残滓除去部を形成し、残滓除去部により突出部分を形成する。長棒、残滓除去部及び突出部分の先端は、円頭状の弧面を形成する。
【００１１】
かくして、本発明によれば、
請求項１において、
歯間ブラシであって、中間の部分にグリップを形成し、該グリップの一端は延伸し先端部を形成し、該先端部の外表面には複数の突起部を形成し、前記グリップの他端は延伸し長棒を形成し、該長棒の外周に複数のブラシを形成し、
該ブラシは残滓除去部を形成し、該残滓除去部により突出部分を形成してなることを特徴とする歯間ブラシが提供される。
【００１２】
請求項２に係る考案によれば、前記グリップの他端は延伸し薄い先端部を形成し、前記先端部の表面は複数の突起部を有することを特徴とする請求項１に記載の歯間ブラシが提供される。  
【００１３】
請求項３に係る考案によれば、前記長棒、前記残滓除去部と前記突出部分の先端は、円頭状の弧面を有することを特徴とする請求項１に記載の歯間ブラシが提供される。
【００１４】
請求項４に係る考案によれば、前記残滓除去部は、前記ブラシの方向と垂直の方向に形成させてなることを特徴とする請求項１に記載の歯間ブラシが提供される。
【００１５】
請求項５に係る考案によれば、前記残滓除去部は、前記ブラシの両側に斜めに形成させてなることを特徴とする請求項１に記載の歯間ブラシが提供される。
【００１６】
請求項６に係る考案によれば、前記長棒は、複数の凸状部が間隔をあけて形成されてなることを特徴とする請求項１に記載の歯間ブラシが提供される。  
【００１７】
請求項７に係る考案によれば、前記残滓除去部は、前記ブラシの一端の両側だけに形成されることを特徴とする請求項１に記載の歯間ブラシが提供される。
【００１８】
請求項８に係る考案によれば、前記残滓除去部は、適当な数量で、前記ブラシに間隔をあけて形成されてなることを特徴とする請求項１に記載の歯間ブラシが提供される。
【考案の効果】
【００１９】
本考案により、歯間に残留した食物の残渣が完全に除去でき、清掃範囲が広く、全方位に渡って清掃でき、口内に入れやすく操作性に優れ、また、口内を損傷することがない、という長所が得られる。
【図面の簡単な説明】
【００２０】
【図１】本考案の一実施形態による歯間ブラシの斜視図である。
【図２】本考案の一実施形態による歯間ブラシの平面図である。
【図３】本考案の一実施形態による歯間ブラシの平面拡大図である。
【図４】本考案の一実施形態による歯間ブラシが円滑に食物の残渣をかき出す状態を示す説明図である。
【図５】本考案の他の実施形態による歯間ブラシの部分説明図である。
【図６】公知の歯間ブラシの構造の斜視図である。
【図７】公知の歯間ブラシの一実施形態による歯間構造の平面図である。
【考案を実施するための最良の形態】
【００２１】
以下、本考案について、図面に従って具体的に説明する。もっとも本考案は、かかる図面等により限定されるものではない。  
【００２２】
図１と図２で示されるように、本考案の歯間ブラシ１０は、最適な硬さのプラスチック材質で一体射出成型し、中間の部分にグリップ１１を形成させたものである。グリップ１１の一端は延伸し薄い先端部１２を形成する。先端部１２外表面は複数の突起部１３を形成し、グリップ１１の他端は延伸して長棒１４を形成する。長棒１４外周に複数のブラシ１５を形成し、これらのブラシ１５は、両側から中央に向かって高くなり、長短が異なるように配列される。ブラシ１５は残滓除去部１６を形成し、残滓除去部１６により突出部分１７を形成する。長棒１４、残滓除去部１６及び突出部分１７の先端は、円頭状の弧面を形成する。
【００２３】
本考案に係る歯間ブラシの使用時、先端部１２を歯の隙間２０に入れて、突起部１３により食物の残渣をかき出す以外に、長棒１４とブラシ１５により、歯の隙間２０中に縦向きに入れて清掃することができる。長棒１４の先端は円頭状の弧面で、残滓除去部１６に突出部分１７があるので、使用が円滑で、口内を損傷することがない。歯間ブラシを引き出す過程で、ブラシ１５の残滓除去部１６により清掃範囲を増加し、図３で示すように、食物の残渣をかき出すことができ、歯の隙間２０を効果的に、全方位で清掃することができる。
【００２４】
残滓除去部１６は、図１〜図３に示すように、ブラシ１５と垂直に維持されるか、又は、図４に示すように、斜め方向に延伸し、長棒１４上に凸状突起部１８を形成してもよく、ブラシ１５での清掃時、凸状突起部１８により歯の隙間２０の汚れを清掃する。図５で示すように、ブラシ１５は、それぞれ同等間隔に配置された形態であり、複数の残滓除去部１６を形成してもよい。これにより、洗浄効果を強化し、洗浄範囲を増加する。
【００２５】
本考案に係る歯間ブラシによれば、残滓除去部１６によりブラシ１５を引き出すと同時に、食物の残渣が完全に除去でき、清掃範囲が増加し、全方位に渡って清掃できる。また、長棒１４は、一端が円頭状の弧面を有するものであり、残滓除去部１６には突出部分１７が形成されてあるので、前記弧面と突出部分により、口内に入れる過程が円滑であり、また、口内を損傷することがない、という長所が得られる。
【符号の説明】
【００２６】
１０  歯間ブラシ
１１  グリップ
１２  先端部
１３  突起部
１４  長棒
１５  ブラシ
１６  残滓除去部
１７  突出部分
１８  凸状突起部
２０  歯の隙間
３０  歯間ブラシ
３１  小径部
３２  ブラシ部
３３  先端部
３４  鋸歯状突起部
３５  グリップ